(57)【特許請求の範囲】
【請求項１】
遊技盤（２４）の前側の透明板扉（２５）に、前後２枚の透明板（４０）（４１）がその外周縁側の保持部材（４２）により前後に所定の間隔をおいて保持された透明板ユニット（３９）を備え、該透明板ユニット（３９）を介して前記遊技盤（２４）の遊技領域（３２）を視認可能にした弾球遊技機において、前記保持部材（４２）は前記２枚の透明板（４０）（４１）間に介在された環状の間隔保持部材（４６）と、前記各透明板（４０）（４１）の前後方向の外側に配置された環状の押え部材（４７）（４８）とを備え、径方向の外側から係脱自在に係合して前記両透明板（４０）（４１）、前記間隔保持部材（４６）及び前記両押え部材（４７）（４８）を前後方向にクランプするクランプ体（５８）を周方向の略全周を取り囲むように複数個設け、前記間隔保持部材（４６）、前記押え部材（４７）（４８）の何れかに前記透明板扉（２５）の扉枠（３７）に対する取り付け部（６４）を備え、該取り付け部（６４）が外側に突出する切り欠き部（５９ａ）を前記クランプ体（５８）に設けたことを特徴とする弾球遊技機。
【請求項２】
前記各クランプ体（５８）は前記間隔保持部材（４６）、前記各押え部材（４７）（４８）の外周面に当接する当接部（５９）と、該当接部（５９）の前後両側で屈曲し且つ各前記押え部材（４７）（４８）の係合凹部（５５）（５６）に径方向の外側から係脱自在に係合するクランプ爪（６０）とを備えた略コ字状であることを特徴とする請求項１に記載の弾球遊技機。
【請求項３】
前記各押え部材（４７）（４８）は前記透明板（４０）（４１）が嵌合する嵌合縁部（５１）（５２）を外周側に有することを特徴とする請求項１又は２に記載の弾球遊技機。
【請求項４】
前記各クランプ体（５８）はその長手方向の中間に前記切り欠き部（５９ａ）を有することを特徴とする請求項１〜３の何れかに記載の弾球遊技機。
【発明の詳細な説明】
【技術分野】
【０００１】
本発明は弾球遊技機、取り分け遊技盤の前側に配置される透明板扉の透明板ユニットの改良に関するものである。
【背景技術】
【０００２】
弾球遊技機は、遊技盤の前側にガラス扉を開閉自在に備え、このガラス扉に装着された透明な前後２枚のガラス板を含むガラスユニットを介して遊技盤の遊技領域を視認可能にしている。
【０００３】
ガラスユニットは、前後２枚のガラス板と、この２枚のガラス板間の外周縁側に介在された環状の保持部材とを備え、保持部材の前後両側に各ガラス板を接着して構成されており、２枚のガラス板を単体で扉枠に着脱自在に装着するものに比して、装着時の利便性が向上する利点があり、近時では多用される傾向にある。
【０００４】
しかし、このガラスユニットは、保持部材の前後両側にガラス板を接着しているため、片側のガラス板が損傷すれば、ガラスユニット全体を交換しなければならず、非常に不経済である。
【０００５】
そこで、２枚のガラス板と保持部材とを着脱自在に組み立てたガラスユニットが提案されている（特許文献１）。このガラスユニットは、両端に径方向の外側へと屈曲する屈曲部を有し、且つ内周側にガラス板用の溝が形成されたＣ字状の保持部材を用い、この保持部材を２枚のガラス板の外周に巻き付けて、その両端の屈曲部同士を締結手段で締結するようにしている。
【特許文献１】特開２００５−２５３８７５号公報
【発明の開示】
【発明が解決しようとする課題】
【０００６】
従来のガラスユニットは、締結手段を解除すれば、２枚のガラス板と保持部材とを分解できるため、ガラス板が損傷した場合には、その損傷したガラス板のみを交換すればよく、全体を交換する場合に比較して無駄がなく経済的である。
【０００７】
しかし、ガラスユニットの組み立てが非常に煩雑になるという欠点がある。即ち、組み立てに際しては、２枚のガラス板の周縁部を保持部材の溝に合わせながら、保持部材を両ガラス板の外周に巻き付ける必要がある。このためガラス板が大径であることと相俟って、その組み立てが非常に煩雑になるという欠点がある。
【０００８】
このような損傷時の無駄を極力抑えるガラス板１，２の保持対策として、図１６〜図１８に示す構成のガラス扉３が考えられる。このガラス扉３は、扉枠４の裏側に装着された環状の受け台５と、この受け台５の裏側に固定され且つガラス板１，２が裏側から着脱自在に嵌合される嵌合枠６と、この嵌合枠６に嵌合する２枚のガラス板１，２を係脱自在に係止する周方向に複数個の係止手段７とを備えている。
【０００９】
係止手段７は１個の係合ピン８と、この係合ピン８の周方向の両側に略対称に配置された前用及び後用の２個の係止フック９，１０とを備えている。係合ピン８は前用及び後用の２個の係合溝８ａ，８ｂを有し、受け台５の取り付け部５ａに固定されている。
【００１０】
各係止フック９，１０は一端側が嵌合枠６の外側で取り付け部５ａに支軸９ａ，１０ａにより回動自在に枢支されており、その遊端側に係合ピン８の係合溝８ａ，８ｂに係脱自在に係合するフック部９ｂ，１０ｂが、また中間に嵌合枠６の切欠き部９ｃ，１０ｃを介してガラス板１，２を係脱自在に係止する係止部９ｄ，１０ｄが夫々設けられている。
【００１１】
受け台５と係止フック９の係止部９ｄとの間隔、両係止フック９，１０の係止部９ｄ，１０ｄ間の間隔はガラス板１，２の厚さに対応し、係止フック９の係止部９ｄの前後方向の厚さは両ガラス板１，２間の間隔に対応している。１１は扉カバーである。
【００１２】
このガラス扉３では、嵌合枠６内に前側のガラス板１を嵌め込んで受け台５に当てた後、係止フック９を支軸９ａ廻りに係止方向に回動させて、そのフック部９ｂを係合ピン８の係合溝８ａに係合させる。これによって係止部９ｄが切欠き部９ｃを介して嵌合枠６内に突出し、前側のガラス板１を係止し固定する。
【００１３】
次に前側のガラス板２を嵌合枠６内に嵌め込んで係止フック９の係止部９ｄに当てた後、係止フック９と同様に、係止フック１０を支軸１０ａ廻りに係止方向に回動させて、そのフック部１０ｂを係合ピン８の係合溝８ｂに係合させる。これによって係止部１０ｄが切欠き部１０ｃを介して嵌合枠６内に突出し、後側のガラス板２を係止し固定する。
【００１４】
このようなガラス扉３であれば、２枚のガラス板１，２の何れが損傷した場合にも、係止手段７の係止フック９，１０の係脱操作によりガラス板１，２を交換できるため、無駄がなく経済性に優れた利点がある。しかし、ガラス扉３にガラス板１，２を装着する場合にはガラス板１，２単位の取り扱いとなり、２枚のガラス板１，２を１個のユニットとして取り扱うことができないので、従来のガラスユニットに比較して装着時の利便性が極端に低下する欠点がある。
【００１５】
本発明は、このような問題点に鑑み、透明板ユニットとしての装着時の利便性を損なわずに、透明板ユニットの一部が損傷した場合にはその損傷した部分の交換で対応でき、しかもその透明板ユニットの分解、組み立てを容易に行える弾球遊技機を提供することを目的とする。
【課題を解決するための手段】
【００１６】
本発明は、遊技盤２４の前側の透明板扉２５に、前後２枚の透明板４０，４１がその外周縁側の保持部材４２により前後に所定の間隔をおいて保持された透明板ユニット３９を備え、該透明板ユニット３９を介して前記遊技盤２４の遊技領域３２を視認可能にした弾球遊技機において、前記保持部材４２は前記２枚の透明板４０，４１間に介在された環状の間隔保持部材４６と、前記各透明板４０，４１の前後方向の外側に配置された環状の押え部材４７，４８とを備え、径方向の外側から係脱自在に係合して前記両透明板４０，４１、前記間隔保持部材４６及び前記両押え部材４７，４８を前後方向にクランプするクランプ体５８を周方向の略全周を取り囲むように複数個設け、前記間隔保持部材４６、前記押え部材４７，４８の何れかに前記透明板扉２５の扉枠３７に対する取り付け部６４を備え、該取り付け部６４が外側に突出する切り欠き部５９ａを前記クランプ体５８に設けたものである。
【発明の効果】
【００１７】
本発明では、透明板ユニット３９としての装着時の利便性を損なわずに、透明板ユニット３９の一部が損傷した場合にはその損傷した部分の交換で対応でき、しかもその透明板ユニット３９の分解、組み立てを容易に行うことができる。
【発明を実施するための最良の形態】
【００１８】
以下、本発明の各実施例を図面に基づいて詳述する。図１〜図４は本発明の第１の実施例を例示する。図１において、２０は遊技機本体で、矩形枠状の外枠２１と、この外枠２１の前側に配置された前枠２２とを備えている。前枠２２は左端側の上下一対のヒンジ２３を介して外枠２１に着脱及び開閉自在に装着されている。
【００１９】
前枠２２の上部側には遊技盤２４が着脱自在に装着されると共に、遊技盤２４の前側にガラス扉（透明板扉）２５が、ガラス扉２５の下側に隣接して前面板２６が夫々配置されている。ガラス扉２５、前面板２６はヒンジ２３と同一側のヒンジ（図示省略）により前枠２２に開閉自在に枢支されている。前面板２６には発射用の遊技球を貯留する上皿（球供給皿）２７が装着されている。また前枠２２の下部には、余剰球を貯留する下皿２８と、発射手段２９の発射ハンドル３０とが夫々設けられている。
【００２０】
遊技盤２４には、その前面側に発射手段２９によって発射された遊技球を案内するガイドレール３１が環状に装着されると共に、そのガイドレール３１内の遊技領域３２の上部側に特別図柄、演出画像等を表示する液晶表示手段３３が裏側から装着され、また液晶表示手段３３の下側に特別図柄始動手段１９、大入賞手段３４、普通入賞手段３５、その他の遊技部品が配置されている。
【００２１】
ガラス扉２５は図２〜図４に示すように、遊技領域３２に対応する窓孔３６を有し、金属板製、その他の扉枠３７と、この扉枠３７の前面側に装着された合成樹脂製の扉カバー３８と、扉枠３７の裏側に窓孔３６に対応して着脱自在に装着されたガラスユニット（透明板ユニット）３９とを備えている。窓孔３６、ガラスユニット３９は円形状に形成されている。
【００２２】
ガラスユニット３９は図３、図４に示すように、前後に所定の間隔をおいて配置された前後２枚のガラス板４０，４１と、２枚のガラス板４０，４１の外周縁側を保持する円環状の保持部材４２とを備え、扉枠３７の裏側に取り付け台４３、固定手段４４により着脱自在に装着され、そのガラス板４０，４１を介して遊技盤２４の遊技領域３２を視認可能である。
【００２３】
取り付け台４３は保持部材４２に対応する円環状であり、窓孔３６の外周で扉枠３７の裏側に装着されており、後方に突出する位置決め突起４５を周方向に複数個（例えば２個）有すると共に、外側に周方向に複数個（例えば４個）の固定手段４４が設けられている。
【００２４】
保持部材４２は前後２枚のガラス板４０，４１間に介在された間隔保持部材４６と、各ガラス板４０，４１の前後方向の外側に配置された押え部材４７，４８と、周方向に所定間隔をおいて配置され且つ両ガラス板４０，４１、間隔保持部材４６及び押え部材４７，４８を前後方向に着脱自在に結合する複数個の結合手段４９とを備えている。
【００２５】
間隔保持部材４６は前後のガラス板４０，４１の外周縁側でその間隔を保持するためのもので、外周部側から前後方向の両側に突出する位置決め凸部５０を有する。各押え部材４７，４８は、ガラス板４０，４１の外周縁部を押えるためのもので、ガラス板４０，４１が嵌合する嵌合縁部５１，５２を外周部側に有し、その嵌合縁部５１，５２に間隔保持部材４６の位置決め凸部５０に対応して位置決め凹部５３，５４が、位置決め凹部５３，５４と反対側に係合凹部５５，５６が夫々設けられている。
【００２６】
位置決め凸部５０、位置決め凹部５３，５４は、周方向に等間隔をおいて間隔保持部材４６と押え部材４７，４８との相対向する側に設けられており、これらにより両者を位置決めする位置決め部５０，５３、５０，５４が構成されている。前側の押え部材４７には、取り付け台４３の位置決め突起４５に対応して凹部５７が形成されている。
【００２７】
結合手段４９はガラス板４０，４１、間隔保持部材４６及び押え部材４７，４８を前後方向にクランプするクランプ体５８により構成されている。クランプ体５８は略コ字状であって、間隔保持部材４６及び押え部材４７，４８の外周面に当接する当接部５９と、この当接部５９の前後両側で屈曲し且つ押え部材４７，４８の係合凹部５５，５６に径方向の外側から係脱自在に係合するクランプ爪６０とを備え、周方向に等間隔をおいて複数個設けられている。
【００２８】
固定手段４４は取り付け台４３の外周側の突出部６１に支軸６２により枢支された締結部材６３を備え、この締結部材６３で前側の押え部材４７の外周に突出する取り付け部６４を取り付け台４３側に締め付けて固定するようになっている。締結部材６３は操作用の摘まみ６３ａを有し、取り付け部６４を締め付ける位置と取り付け部６４から外れる位置との間で支軸６２廻りに回動操作可能である。
【００２９】
このような弾球遊技機では、前後２枚のガラス板４０，４１と、この２枚のガラス板４０，４１間に介在された間隔保持部材４６と、各ガラス板４０，４１の前後方向の外側に配置された環状の押え部材４７，４８とを、周方向に所定間隔をおいて配置された複数個の結合手段４９により着脱自在に結合してガラスユニット３９を構成しているので、ガラス板４０，４１が損傷した場合には、結合手段４９による結合を解除することにより、その損傷したガラス板４０，４１のみを交換でき、ガラスユニット３９全体を交換する場合に比較して無駄を極力防止できる。勿論、間隔保持部材４６、押え部材４７，４８が損傷した場合には、それらも容易に交換することができる。
【００３０】
ガラスユニット３９の分解時には、結合手段４９を構成するクランプ体５８を外せば良く、ガラスユニット３９を容易に分解することができる。また組み立てに際しては、間隔保持部材４６とその両側の押え部材４７，４８とを位置決め部５０，５３、５０，５４で合わせて２枚のガラス板４０，４１を挟み、その外周側にクランプ体５８を装着して結合すればよいので、ガラスユニット３９の組み立ても容易にすることができる。結合手段４９をクランプ体５８により構成することによって、構造的にも簡単である。
【００３１】
ガラスユニット３９をガラス扉２５に取り付ける場合には、前側の押え部材４７の凹部５７を取り付け台４３の位置決め突起４５に合わせて、ガラスユニット３９を取り付け台４３に裏側から当接した後、固定手段４４の締結部材６３を支軸６２廻りに廻して、この締結部材６３により取り付け部６４を取り付け台４３側へと締め付ける。従って、各ガラス板４０，４１毎に交換可能であるにも拘わらず、１個のガラスユニット３９として取り扱うことができ、ガラスユニット３９としての装着時の利便性を損なうようなこともない。
【００３２】
従って、このように構成すれば、ガラスユニット３９としての装着時の利便性を損なわずに、ガラスユニット３９の一部が損傷した場合には、その損傷した部材の交換のみで対応することができ、しかもそのガラスユニット３９の分解、組み立ても容易に行うことができる。
【００３３】
図５、図６は本発明の第２の実施例を例示する。この実施例では、クランプ体５８の両端のクランプ爪６０が各押え部材４７，４８の外周側の凹部４７ａ，４８ａに挿脱自在に挿入されており、このクランプ体５８により間隔保持部材４６と押え部材４７，４８とを前後方向に締結するように構成されている。間隔保持部材４６の外周部には、ガラス板４０，４１が嵌合する嵌合縁部６９が形成されている。
【００３４】
このようなクランプ体５８を使用することもできる。従って、クランプ体５８で間隔保持部材４６、押え部材４７，４８をクランプする場合、そのクランプ爪６０のクランプ位置は、押え部材４７，４８の外側でもよいし、押え部材４７，４８の中間でもよい。なお、クランプ体５８は合成樹脂製、金属製の何れでもよい。例えば、クランプ体５８をピアノ線等の弾性線材で構成することも可能である。
【００３５】
図７、図８は本発明の第３の実施例を例示する。この実施例では、周方向の複数個（例えば３個）のクランプ体５８により間隔保持部材４６、押え部材４７，４８の外周側の略全周を取り囲むように構成されている。
【００３６】
クランプ体５８は円弧状であって、その長手方向の中間に、固定手段４４、位置決め突起４５に対応して当接部５９及び前側のクランプ爪６０の一部を切り欠いた切り欠き部５９ａが設けられている。このようにクランプ体５８により、間隔保持部材４６、押え部材４７，４８の外周側の略全周を取り囲んでもよい。
【００３７】
図９〜図１２は本発明の第４の実施例を例示する。この実施例では、結合手段４９は間隔保持部材４６と各押え部材４７，４８との周方向の相対回動により係脱自在に係合する係合手段６７により構成され、またガラスユニット３９の固定手段４４は押えレバー６８により構成されている。
【００３８】
間隔保持部材４６は各ガラス板４０，４１が嵌合する嵌合縁部６９を有すると共に、その外周側にＬ字状に屈曲する係合溝７０が周方向に所定の間隔をおいて複数個形成されている。一方、押え部材４７，４８は間隔保持部材４６の外周に嵌合する嵌合縁部５２の内周に、間隔保持部材４６の係合溝７０に対して前後方向に係脱自在であり且つ周方向の相対回動により係合溝７０に係合し締結する係合部７１が設けられている。そして、係合溝７０と係合部７１とによって係合手段６７が構成されている。
【００３９】
押えレバー６８はガラスユニット３９の後側の押え部材４８を押える押え部７２を有し、基部側が扉枠３７に支軸７３により回動自在に枢支されている。そして、押えレバー６８は押え部材４８を締め付ける押え位置と、押え部材４８から外れる位置との間で支軸７３廻りに回動操作可能である。
【００４０】
このような構成では、間隔保持部材４６と押え部材４７，４８とを周方向に相対回動させながら、係合手段６７の係合部７１を係合溝７０に係脱することにより、ガラスユニット３９の組み立て、分解を容易にできる。また押えレバー６８を支軸７３廻りに回動させて、その押え部７２をガラスユニット３９の押え部材４８に対して掛け外しすることにより、ガラスユニット３９をガラス扉２５に対して着脱することができる。
【００４１】
なお、両押え部材４７，４８は間隔保持部材４６に対して反対方向へと回動させて係合手段６７を係脱するようになっているが、同一方向に回動させるようにしてもよい。係合手段６７は間隔保持部材４６側に係合部７１を、押え部材４７，４８側に係合溝７０を設けてもよい。また間隔保持部材４６と押え部材４７，４８とを相対回転させて着脱自在に結合する結合手段４９としては、雄ねじと雌ねじとによる螺合手段がある。従って、係合手段６７に代えて螺合手段を採用してもよい。
【００４２】
図１３、図１４は本発明の第５の実施例を例示する。この実施例の結合手段４９は、ねじ７４とこれに螺合するナット７５とからなる締結手段７６により結合手段４９が構成されている。この締結手段７６は周方向に所定の間隔をおいて複数個設けられている。このような締結手段７６によりガラス板４０，４１の外周側で間隔保持部材４６と押え部材４７，４８とを前後方向に締結してもよい。締結手段７６は押え部材４７，４８の前後両側に突出しないようにすることが望ましい。
【００４３】
図１５は本発明の第６の実施例を例示する。この実施例のガラスユニット３９は、上部側が円弧状に、下部側が角形状に構成されている。このような形状のガラスユニット３９の場合にも、前述の各実施例と同様に実施可能である。従って、ガラスユニット３９の外周側の形状はどのようなものでもよい。
【００４４】
以上、本発明の各実施例について例示したが、本発明はこの実施例に限定されるものではない。例えば、実施例では、透明板を備えた透明板ユニットとして、ガラス板４０，４１を備えたガラスユニット３９を例示しているが、透明板にはガラス板４０，４１以外のものを使用してもよい。またガラス板４０，４１を使用する場合でも、そのガラス板４０，４１が無色透明である必要はなく、遊技領域３２を視認可能なものであれば、有色透明でもよい。
【００４５】
間隔保持部材４６、押え部材４７，４８とガラス板４０，４１との当接部分には軟質樹脂材等のクッション材を設けてもよい。結合手段４９は間隔保持部材４６、押え部材４７，４８を前後方向に結合できるものであれば十分であり、実施例に例示のクランプ体５８、係合手段６７、締結手段７６、螺合手段以外の手段を利用してもよい。結合手段４９は周方向に複数個設ける他、周方向に長いものを１個設けてもよい。
【００４６】
取り付け部６４を介して固定手段４４によりガラスユニット３９を扉枠３７に取り付ける場合、その取り付け部６４は間隔保持部材４６又は後側の押え部材４８に設けてもよい。固定手段４４はねじ形式にする等、ガラスユニット３９を扉枠３７に取り付け得るものであれば十分であり、また固定手段４４の形式、構造等に合わせて取り付け部６４の形状、構造等は種々に変更可能である。
【００４７】
間隔保持部材４６、押え部材４７，４８の何れか１つには、ガラス板４０，４１間の内部空間と連通する通気孔を設けてもよい。２枚のガラス板４０，４１間に表示手段や発光手段を設ける場合には、その配線の挿通孔と、表示手段等の保持部を間隔保持部材４６に設けてもよい。
【００４８】
表示手段が遊技領域３２の中央等に位置する場合には、その表示手段は光透過性のあるものを使用すればよい。扉枠３７に設けられたヒンジにガラスユニット３９を取り付けてもよい。また本発明はパチンコ機、アレンジボール機その他の何れであっても、全く同様に実施可能である。
【図面の簡単な説明】
【００４９】
【図１】本発明の第１の実施例を示す弾球遊技機の正面図である。
【図２】本発明の第１の実施例を示すガラス扉の背面図である。
【図３】本発明の第１の実施例を示すガラス扉の断面図である。
【図４】本発明の第１の実施例を示すガラスユニットの分解斜視図である。
【図５】本発明の第２の実施例を示すガラスユニットの断面図である。
【図６】本発明の第２の実施例を示すガラスユニットの一部破断分解斜視図である。
【図７】本発明の第３の実施例を示すガラス扉の背面図である。
【図８】本発明の第３の実施例を示すガラス扉の断面図である。
【図９】本発明の第４の実施例を示すガラス扉の背面図である。
【図１０】本発明の第４の実施例を示すガラス扉の断面図である。
【図１１】本発明の第４の実施例を示すガラスユニットの側面断面図である。
【図１２】本発明の第４の実施例を示すガラスユニットの要部の分解斜視図である。
【図１３】本発明の第５の実施例を示すガラス扉の背面図である。
【図１４】本発明の第５の実施例を示すガラス扉の断面図である。
【図１５】本発明の第６の実施例を示すガラス扉の背面図である。
【図１６】比較例を示すガラス扉の背面図である。
【図１７】比較例を示すガラス扉の断面図である。
【図１８】比較例を示すガラス扉の背面断面図である。
【符号の説明】
【００５０】
２４  遊技盤
２５  透明板扉（ガラス扉）
３２  遊技領域
３９  ガラスユニット（透明板ユニット）
４０，４１  ガラス板（透明板）
４２  保持部材
４６  間隔保持部材
４７，４８  押え部材
４９  結合手段
５０  位置決め凸部（位置決め部）
５３，５４  位置決め凹部（位置決め部）
５８  クランプ体
６４  取り付け部
６７  締結手段
【図１】
0004444226.tif 000002
【図２】
0004444226.tif 000003
【図３】
0004444226.tif 000004
【図４】
0004444226.tif 000005
【図５】
0004444226.tif 000006
【図６】
0004444226.tif 000007
【図７】
0004444226.tif 000008
【図８】
0004444226.tif 000009
【図９】
0004444226.tif 000010
【図１０】
0004444226.tif 000011
【図１１】
0004444226.tif 000012
【図１２】
0004444226.tif 000013
【図１３】
0004444226.tif 000014
【図１４】
0004444226.tif 000015
【図１５】
0004444226.tif 000016
【図１６】
0004444226.tif 000017
【図１７】
0004444226.tif 000018
【図１８】
0004444226.tif 000019